(57)【要約】    【課題】ジョインテッドプラグの構造の改良。水面付近を漂うベイトフィッシュの動きが簡単且つリアルに演出されると共に、バランス良くリトリーブされるルアーの提供。    【解決手段】このルアー１０は、前本体１１と後本体１２とを有し、両者は、ヒンジ１３によって連結されている。前本体１１の重心は、図心よりも下方に位置し、前本体１１は、水中で背側を上にして浮く。後本体１２の重心は、図心よりも上方に位置し、後本体１２は、水中で腹側を上にして浮く。「図心」とは、重心が存在する断面の中心を意味する。【選択図】図１
2005348673.tif 000002
【特許請求の範囲】
【請求項１】
前本体と後本体とがヒンジ構造を介して回動自在に連結されたルアー本体を備え、
前本体の重心は、当該前本体が水中で背側を上にして浮く位置に設定され、
後本体の重心は、当該後本体が水中で腹側を上にして浮く位置に設定されているルアー。
【請求項２】
前本体と後本体とがヒンジ構造を介して回動自在に連結されたルアー本体を備え、
前本体の重心は、当該重心が存在する当該前本体の横断面の図心よりも下側に位置し、
後本体の重心は、当該重心が存在する当該後本体の横断面の図心よりも上側に位置するルアー。
【発明の詳細な説明】
【技術分野】
【０００１】
本発明は、魚釣りに使用されるルアー、特にジョインテッドプラグの構造に関するものである。
【背景技術】
【０００２】
ルアー釣りでは、釣人は、ルアーをキャストし、ベイトとなる魚や虫の動きに似るようにルアーをリトリーブすることによって、ターゲットフィッシュのバイトを誘う。ルアーのリトリーブの態様は実にさまざまであり、釣人は、リトリーブを工夫することによって、自己が意図するベイトの動きを演出する。また、ベイトの動きを演出するために、ルアーの構造も種々改良されており、プラグに代表される一般的なハードルアーのほか、ワームに代表される可撓性に富むソフトルアーも提供されている（例えば、非特許文献１参照）。
【０００３】
水面付近をふらふらと泳ぐベイトフィッシュの動きを演出するために、従来からジョインテッドプラグと称されるルアーが提供されている。この種のルアーは、ルアー本体と、これに取り付けられたフックとを有するが、ルアー本体が前後方向に分割されており、分割された各ルアー本体同士が相対的に回動自在となっている。したがって、このようなジョインテッドプラグが低速でリトリーブされると、体力の衰えたベイトフィッシュが水面付近をふらふらと泳ぐ特徴的な動きが演出される。換言すれば、ジョインテッドプラグは、釣人が体力の衰えたベイトフィッシュの動きを演出するために適しており、釣人は、当該釣り場の状況に応じてジョインテッドプラグを好適に使用する。
【０００４】
【非特許文献１】株式会社シマノ  2004 Fishing Tackle Catalogue（第２１１頁〜第２２６頁）
【発明の開示】
【発明が解決しようとする課題】
【０００５】
しかしながら、ジョインテッドプラグは、リトリーブされるとバランスを崩しやすく、特に高速リトリーブには適しないという問題がある。そこで、本発明は、ジョインテッドプラグの構造を改良することを目的としてなされたものであって、水面付近を漂うように泳ぐベイトフィッシュの動きが簡単にしかもリアルに演出されると共に、高速でリトリーブされた場合にもバランスが崩れないルアー（ジョインテッドプラグ）を提供することである。
【課題を解決するための手段】
【０００６】
上記目的が達成されるため、本発明に係るルアーは、前本体と後本体とがヒンジ構造を介して回動自在に連結されたルアー本体を備え、前本体の重心は、当該前本体が水中で背側を上にして浮く位置に設定され、後本体の重心は、当該後本体が水中で腹側を上にして浮く位置に設定されていることを特徴とするものである。
【０００７】
また、上記目的が達成されるため、本発明に係るルアーは、前本体と後本体とがヒンジ構造を介して回動自在に連結されたルアー本体を備え、前本体の重心は、当該重心が存在する当該前本体の横断面の図心よりも下側に位置し、後本体の重心は、当該重心が存在する当該後本体の横断面の図心よりも上側に位置することを特徴とするものである。
【０００８】
本発明において、ルアーがリトリーブされる方向が「前方向」と定義され、水中をリトリーブされるルアーの水面側が「上側」ないし「背側」と定義される。したがって、当該ルアーの前本体とは、ルアー本体のうちリトリーブされる方向の部分であり、当該リアーの後本体とは、前本体に連結された部分である。
【０００９】
上記前本体は、水中で背側を上にして浮き、上記後本体は、水中で腹側（すなわち下側）を上にして浮く。したがって、ルアーがキャストされたときは、前本体と後本体との間に捻れが生じ、当該ルアーは、水面であるいは水中で傾いて漂う。このルアーが低速でリトリーブされたときは、後本体が激しく揺動するので、当該ルアーは、体力の衰えたベイトフィッシュの動きを醸し出す。また、前本体は、背側を上にして浮くことから、高速でリトリーブされたときも安定して水中を進む。後本体は前本体に追従するのみであるから、当該ルアーは、高速でリトリーブされたときでも大きくバランスを崩すことはない。
【発明の効果】
【００１０】
本発明によれば、前本体は、その重心位置が低く設定されることによって背側を上にして浮き、後本体は、その重心位置が高く設定されることによって腹側を上にして浮く。したがって、ルアーは水中で傾いて漂うことになるから、釣人は、体力の衰えたベイトフィッシュの動きを簡単に且つリアルに演出することができる。また、前本体は水中で安定することになるので、当該ルアーは、高速でリトリーブされた場合であってもバランス良く水中を進む。その結果、当該ルアーは、ターゲットフィッシュのリアクションバイトを誘うこともできる。
【発明を実施するための最良の形態】
【００１１】
以下、適宜図面が参照されつつ、好ましい実施形態に基づいて本発明が詳細に説明される。
【００１２】
図１は、本発明の一実施形態に係るルアーの正面図である。このルアー１０は、前本体１１と後本体１２とを備え、両者は回動自在に連結されている。前本体１１及び後本体１２は、このルアー１０のルアー本体を構成し、このルアー本体には後述のようにフック（釣針）が取り付けられるようになっている。
【００１３】
図２は、このルアー１０の要部拡大斜視図であり、前本体１１と後本体１２との連結部分の構造を詳細に図示している。同図が示すように、前本体１１と後本体１２とは、ヒンジ１３によって連結されている。すなわち、このルアー１０は、ジョインテッドプラグであり、後述されるように水面ないし水面付近を漂い、あるいはリトリーブされるようになっている。
【００１４】
前本体１１及び後本体１２は、例えば樹脂や木材等から構成されており、それらの形態はベイトフィッシュの形態に酷似するように形成されている。すなわち、前本体１１は、ベイトフィッシュの頭部から尻部付近までの形態に似せて構成されており、後本体１２は、当該ベイトフィッシュの尻部から尾部までの形態に似せて構成されている。したがって、前本体１１と後本体１２とが連結されることによって、全体の形態は、当該ベイトフィッシュの形態に酷似する。
【００１５】
前本体１１の前方下部には、リング１４、リング１６、リップ１５及び錘３０が設けられている。この錘３０は、前本体１１の前方下部に埋設されている。錘３０を構成する材料は、比重の大きい金属、典型的にはタングステン合金が好適に採用される。ただし、錘３０を構成する材料は、何ら限定されるものではなく、他の材料も採用され得る。本実施形態では、錘３０は球形に形成されているが、錘３０の形状も何ら限定されるものではない。この錘３０は、後述するように前本体１１の重心Ｇ１の位置を決定する。前本体１１は、錘３０、上記リング１４等が取り付けられることによって、その重心Ｇ１が後述される位置に設定されている。なお、錘３０は、他の部位、例えばリップ１５等に取り付けられていてもよい。
【００１６】
リング１４、１６は、例えばステンレス鋼等の金属からなり、リング１４にはライン（釣糸）が連結されるようになっている。釣人は、リング１４に連結されたラインを操作することによってルアー１０をリトリーブする。また、リップ１５は、例えば樹脂からなり、略矩形の板状に形成されている。リップ１５は、ルアー１０がリトリーブされることによって前本体１１を水中に潜らせる。なお、このリップ１５は、水中での前本体１１の動きを制御する翼の役目を果たすものであり、その形状はさまざまに設計変更され得るものである。さらに、リング１６には、フック（釣針）が取り付けられるようになっている。
【００１７】
図２が示すように、前本体１１の後端部に前方へ窪んだ凹部１７が設けられている。この凹部１７を区画する壁面１８にステー１９が取り付けられている。ステー１９は、例えばステンレス鋼等の金属からなり、上下方向に貫通する貫通孔２０が設けられている。本実施形態では、このステー１９は、上下方向に沿って４個設けられているが、ステー１９の数量は何ら限定されるものではない。各ステー１９は、前本体１１に固定されているが、上記ヒンジ１３の一部をも構成している。
【００１８】
図１が示すように、後本体１１の中央下部には、リング２１が設けられている。リング２１は、例えばステンレス鋼等の金属からなり、フック（釣針）が取り付けられるようになっている。また、後本体１２の後端部２２は、略Ｖ字状の溝２３を備えている。この溝２３は、後本体１２の後端から前方へ延びている。この後端部２２に一対の鰭部材２４が設けられている。各鰭部材２４は、例えばステンレス鋼等の金属からなり、薄肉の板状に形成されている。
【００１９】
上記後端部２２には、ピン２５が配置されている。このピン２５は、上記後端部２２を左右方向に貫通しており、その両端部が上記後端部２２によって支持されている。各鰭部材２４は、その基端部が上記溝２３の内部に挿入されており、当該基端部は、上記ピン２５によって回動自在に支持されている。したがって、各鰭部材２４は、ピン２５を中心として自在に回動し、揺動することができるようになっており、当該ルアー２４がリトリーブされたときは、各鰭部材２４は激しく揺動する。
【００２０】
図２が示すように、後本体１２の前端部に連結アーム２６が取り付けられている。この連結アーム２６は、例えばステンレス鋼等の金属からなる。連結アーム２６の先端部には、上下方向に貫通する貫通孔２７が設けられている。なお、本実施形態では、連結アーム２６の取付作業が容易となるように、後本体１２の先端面に凹部２８が設けられているが、この凹部２８は省略されていてもよい。また、本実施形態では、連結アーム２６は１本のみ設けられているが、連結アーム２６の数量は何ら限定されるものではない。連結アーム２６は、後本体１２に固定されているが、上記ヒンジ１３の一部をも構成している。
【００２１】
このように後本体１２に連結アーム２６や上記鰭部材２４等が取り付けられることによって、後本体１２の重心Ｇ２は、後述される位置に設定されている。
【００２２】
ヒンジ１３は、上記前本体１１に固定されたステー１９と、上記後本体１２に固定された連結アーム２６と、ヒンジピン２９とを備えている。ヒンジピン２９は、例えばステンレス鋼等の金属からなり、円柱状に形成されている。上記後本体１２の連結アーム２６が上記ステー１９の間に挿通された状態で、ヒンジピン２９が両者間に挿通されている。すなわち、ヒンジピン２９は、各ステー１９の貫通孔２０及び連結アーム２６の貫通孔２７に挿通されており、ステー１９によって支持されている。これにより、後本体１２は、前本体１１に対して左右方向に自在に回動することができる。なお、連結アーム２６に設けられた貫通孔２７の内径寸法が大きく設定されることによって、後本体１２は、前本体１１に対して上下方向にも揺動することができる。
【００２３】
図３は、前本体１１の正面図であり、前本体１１の重心Ｇ１の位置を示している。また、図４は、図３におけるIV−IV断面図であり、重心Ｇ１が存在する前本体１１の横断面Ａ１を示している。
【００２４】
前本体１１の重心Ｇ１は、上記横断面Ａ１上に存在し、当該横断面Ａ１の下縁から上方に距離ｄ１の位置に設定されている。また、上記横断面Ａ１の図心Ｚ１は、当該横断面Ａ１の下縁から上方に距離ｙ１の位置に存在する。なお、この図心Ｚ１は、上記横断面Ａ１の断面積をＳ１、断面一次モーメントをＪ１とした場合に、Ｊ１＝Ｓ１＊ｙ１が成立する位置を示す。本実施形態では、距離ｙ１は、距離ｄ１よりも大きい。したがって、上記横断面Ａ１上において、前本体１１の重心Ｇ１は、図心Ｚ１よりも距離Δｄ１だけ下方に位置する。これにより、前本体１１は、単体では水中で背側を上にして浮かぶことになる。
【００２５】
図５は、後本体１２の正面図であり、後本体１２の重心Ｇ２の位置を示している。また、図６は、図５におけるV−V断面図であり、重心Ｇ２が存在する後本体１２の横断面Ａ２を示している。
【００２６】
後本体１２の重心Ｇ２は、上記横断面Ａ２上に存在し、当該横断面Ａ２の下縁から上方に距離ｄ２の位置に設定されている。また、上記横断面Ａ２の図心Ｚ２は、当該横断面Ａ２の下縁から下方に距離ｙ２の位置に存在する。なお、この図心Ｚ２は、上記横断面Ａ２の断面積をＳ２、断面一次モーメントをＪ２とした場合に、Ｊ２＝Ｓ２＊ｙ２が成立する位置を示す。本実施形態では、距離ｙ２は、距離ｄ２よりも小さい。したがって、上記横断面Ａ２上において、後本体１２の重心Ｇ２は、図心Ｚ２よりも距離Δｄ２だけ上方に位置する。これにより、後本体１２は、単体では水中で腹側を上にして浮かぶことになる。
【００２７】
釣人は、上記リング１４（図１参照）にラインを連結し、釣竿を利用してルアー１０を所望のポイントにキャストする。ルアー１０の前本体１１は、その重心Ｇ１が前述の位置に設定されているから、単体では水中で背側を上にして浮く。一方、ルアー１０の後本体１２は、その重心Ｇ２が前述の位置に設定されているから、水中で腹側を上にして浮く。このため、ルアー１０が着水したときは、前本体１１と後本体１２との間に捻れが生じ、ルアー１０は、水面であるいは水中で傾いて漂う。
【００２８】
したがって、ルアー１０が水面あるいは水面付近で漂う場合に、このルアー１０が風や波によってふらふらと流されやすくなる。さらに、このルアー１０が低速でリトリーブされたときは、後本体１２が激しく揺動するので、当該ルアー１０は、体力の衰えたベイトフィッシュの動きを醸し出す。その結果、釣人は、体力の衰えたベイトフィッシュの動きを簡単に且つリアルに演出することができる。
【００２９】
しかも、前本体１１は、重心Ｇ１が低く設定され、背側を上にして浮くことから、高速でリトリーブされたときも安定して水中を進む。したがって、ルアー１０は、高速でリトリーブされたときでも大きくバランスを崩すことはなく、その結果、当該ルアー１０は、ターゲットフィッシュのリアクションバイトを誘うこともできる。
【００３０】
なお、本実施形態では、上記前本体１１の重心Ｇ１及び上記後本体１２の重心Ｇ２が前述の位置に設定されているが、各重心Ｇ１、Ｇ２の位置は他の位置に設定されていてもよいことは勿論である。要するに、上記前本体１１は、単体では水中で背側を上にして浮くように重心Ｇ１の位置が設定され、一方、後本体１２は、単体では水中で腹側を上にして浮くように重心Ｇ２の位置が設定されていればよい。
【産業上の利用可能性】
【００３１】
本発明は、ジョインテッドプラグに適用され得る。
【図面の簡単な説明】
【００３２】
【図１】図１は、本発明の一実施形態に係るルアーの正面図である。
【図２】図２は、本発明の一実施形態に係るルアーの要部拡大斜視図である。
【図３】図３は、本発明の一実施形態に係るルアーの前本体の正面図である。
【図４】図４は、図３におけるIV−IV断面図である。
【図５】図５は、本発明の一実施形態に係るルアーの後本体の正面図である。
【図６】図６は、図５におけるV−V断面図である。
【符号の説明】
【００３３】
Ｇ１・・・前本体の重心
Ｇ２・・・後本体の重心
１０・・・ルアー
１１・・・前本体
１２・・・後本体
１３・・・ヒンジ
１７・・・凹部
１９・・・ステー
２０・・・貫通孔
２２・・・後端部
２４・・・鰭部材
２５・・・ピン
２６・・・連結アーム
２７・・・貫通孔
２８・・・凹部
２９・・・ヒンジピン
３０・・・錘
【図１】
2005348673.tif 000003
【図２】
2005348673.tif 000004
【図３】
2005348673.tif 000005
【図４】
2005348673.tif 000006
【図５】
2005348673.tif 000007
【図６】
2005348673.tif 000008